(57)【要約】【課題】本発明は、電源管理システム及び方法に関し、より詳しくは、共有機と共にターゲット端末に接続されている終端装置とターゲット端末の接続情報を中継サーバーに格納管理し、遠隔地でクライアントが上記ターゲット端末の電源に対するオン／オフ制御を行う場合、上記中継サーバーが上記終端装置にターゲット端末の接続情報を提供することにより、上記終端装置がターゲット端末に対する電源のオン／オフ制御を行うことができる電源管理システム及び方法に関する。【選択図】図１
2013526797.tif 000002
【特許請求の範囲】
【請求項１】
ターゲット端末の接続情報と上記ターゲット端末に接続されている終端装置の接続情報を送信する接続情報設定手段と、
上記ターゲット端末と終端装置の接続情報を格納管理し、上記ターゲット端末に対するターンオン／ターンオフ命令を送信して遠隔でターゲット端末の電源を制御する電源管理手段とを含むことを特徴とする遠隔電源管理システム。
【請求項２】
上記接続情報設定手段は、
上記ターゲット端末に設けられて自身の接続情報と接続されている終端装置の接続情報を取得して上記終端装置により中継サーバーに送信する設定アプリケーションと、
上記設定アプリケーションとの通信を行って取得した接続情報を上記中継サーバーに送信する終端装置とを含むことを特徴とする請求項１に記載の遠隔電源管理システム。
【請求項３】
上記設定アプリケーションは、
上記ターゲット端末と共有機の接続情報を自動で抽出して接続情報を取得することを特徴とする請求項２に記載の遠隔電源管理システム。
【請求項４】
上記電源管理手段は、
上記接続情報設定手段により設定されたターゲット端末と終端装置の接続情報を終端装置から受信して格納管理するデータベースと、
ビューアー端末からターゲット端末の電源管理要請がある場合、上記データベースに格納された接続情報を抽出して当該終端装置に電源制御信号（ターンオン／ターンオフ命令）を送信する電源管理部と、
ビューアー端末に設けられて電源管理部に電源制御信号を設定するビューアーアプリケーションとを含むことを特徴とする請求項１に記載の遠隔電源管理システム。
【請求項５】
上記データベースは、
中継サーバーに含まれ、クライアントの識別情報にマッピングされた共有機の接続情報を格納する第１データベースと、
上記終端装置に含まれ、上記クライアントの識別情報にマッピングされたターゲット端末の接続情報を格納する第２データベースとを含むことを特徴とする請求項４に記載の遠隔電源管理システム。
【請求項６】
上記電源管理部は、
ターゲット端末の接続情報設定手段から受信された接続情報とクライアントの識別情報をマッピングして上記データベースに格納する接続情報登録モジュールと、
遠隔地のビューアー端末の接続を許容し、ターゲット端末に対する電源管理の要請時に識別情報でクライアントの認証を行い、認証成功した場合、データベースから上記識別情報にマッピングされた終端装置及びターゲット端末の接続情報を抽出して、上記終端装置によりターゲット端末に電源制御信号を送信する遠隔電源管理モジュールとを含むことを特徴とする請求項４に記載の遠隔電源管理システム。
【請求項７】
上記接続情報登録モジュールは中継サーバーに含まれ、
上記遠隔電源管理モジュールは終端装置に含まれることを特徴とする請求項６に記載の遠隔電源管理システム。
【請求項８】
上記ターゲット端末の接続情報は、
ＩＰアドレス又はドメイン、ＭＡＣアドレスを含み、
上記終端装置の接続情報は、
終端装置のＩＰ又はドメインを含むことを特徴とする請求項１〜請求項７のうちいずれか１項に記載の遠隔電源管理システム。
【請求項９】
上記終端装置は共有機であることを特徴とする請求項１〜請求項７のうちいずれか１項に記載の遠隔電源管理システム。
【請求項１０】
ターゲット端末と終端装置の接続情報を中継サーバーに登録するステップと、
上記の登録されたターゲット端末の電源管理の要請時、上記ターゲット端末に電源制御命令を送信するステップと、
上記電源制御命令により上記ターゲット端末の電源を制御するステップとを含むことを特徴とする遠隔電源管理方法。
【請求項１１】
上記の登録するステップは、
ターゲット端末の設定アプリケーションを活性化し、上記設定アプリケーションがターゲット端末の接続情報を抽出し、終端装置の接続情報を取得するステップと、
上記の取得したターゲット端末と終端装置の接続情報を中継サーバーに送信し、上記中継サーバーの接続情報設定モジュールがクライアントの識別情報と上記ターゲット端末と終端装置の接続情報をマッピングさせてデータベースに格納するステップとを含むことを特徴とする請求項１０に記載の遠隔電源管理方法。 
【請求項１２】
上記の登録するステップは、
ターゲット端末の設定アプリケーションを活性化し、上記設定アプリケーションがターゲット端末の接続情報を抽出し、終端装置の接続情報を取得するステップと、
上記の取得した終端装置の接続情報を中継サーバーに送信し、上記中継サーバーの接続情報設定モジュールがクライアントの識別情報と上記終端装置の接続情報とをマッピングさせて第１データベースに格納するステップと、
上記クライアントの識別情報と上記ターゲット端末の接続情報とをマッピングさせて終端装置の第２データベースに格納するステップとを含むことを特徴とする請求項１０に記載の遠隔電源管理方法。 
【請求項１３】
上記電源制御命令を送信するステップは、
ビューアー端末のビューアーアプリケーションを活性化し、上記ビューアーアプリケーションがターゲット端末の特定及び電源制御命令の選択のためのインターフェースを提供するステップと、
上記インターフェースにより入力されたクライアントの識別情報及び電源制御命令を中継サーバーに送信するステップと、
上記中継サーバーの遠隔電源管理モジュールが上記識別情報を認証し、上記識別情報にマッピングされたターゲット端末及び終端装置の接続情報をデータベースから抽出してターゲット端末を特定して、上記終端装置によりターゲット端末に上記電源制御命令を送信するステップとを含むことを特徴とする請求項１０に記載の遠隔電源管理方法。 
【請求項１４】
上記電源制御命令を送信するステップは、
ビューアー端末のビューアーアプリケーションを活性化し、上記ビューアーアプリケーションがターゲット端末の特定及び電源制御命令の選択のためのインターフェースを提供するステップと、
上記インターフェースにより入力されたクライアントの識別情報及び電源制御命令を中継サーバーに送信するステップと、
上記中継サーバーが上記識別情報を認証し、上記識別情報にマッピングされた終端装置の接続情報を第１データベースから抽出して終端装置に上記識別情報と共に上記電源制御命令を送信するステップと、
上記終端装置が上記識別情報にマッピングされたターゲット端末の接続情報を第２データベースから抽出してターゲット端末を特定し、上記ターゲット端末に上記電源制御命令を送信するステップとを含むことを特徴とする請求項１０に記載の遠隔電源管理方法。 
【請求項１５】
上記識別情報及び電源制御命令を中継サーバーに送信するステップは、
上記ビューアーアプリケーションが上記識別情報を中継サーバーに送信してターゲット端末の電源状態情報を要請するステップと、
上記中継サーバーの遠隔電源管理モジュールが上記識別情報に対する認証を行い、上記識別情報にマッピングされたターゲット端末及び終端装置の接続情報をデータベースから抽出するステップと、
上記の抽出された終端装置の接続情報に上記ターゲット端末の接続情報を送信して上記ターゲット端末の電源状態を上記終端装置に要請するステップと、
上記終端装置が上記ターゲット端末の接続情報でターゲット端末を特定してターゲット端末の電源状態を確認し、確認された電源状態を中継サーバーにより上記ビューアーアプリケーションに送信するステップとを含むことを特徴とする請求項１０に記載の遠隔電源管理方法。
【請求項１６】
上記識別情報及び電源制御命令を中継サーバーに送信するステップは、
上記ビューアーアプリケーションが上記識別情報を中継サーバーに送信してターゲット端末の電源状態情報を要請するステップと、
上記中継サーバーが上記識別情報に対する認証を行い、上記識別情報にマッピングされた終端装置の接続情報を第１データベースから抽出するステップと、
上記の抽出された終端装置の接続情報で特定された終端装置に上記識別情報と共に上記ターゲット端末の電源状態を上記終端装置に要請するステップと、
上記終端装置が上記識別情報にマッピングされたターゲット端末の接続情報を第２データベースから抽出してターゲット端末を特定して、ターゲット端末の電源状態を確認し、確認された電源状態を中継サーバーにより上記ビューアーアプリケーションに送信するステップとを含むことを特徴とする請求項１０に記載の遠隔電源管理方法。
【請求項１７】
上記ターゲット端末の電源状態確認は、
上記終端装置が上記ターゲット端末の接続情報にターゲット端末に応答信号を送信し、応答がない場合は電源状態をオフ状態と判断し、応答がある場合は電源状態をオン状態と判断することを特徴とする請求項１５又は請求項１６に記載の遠隔電源管理方法。
【請求項１８】
上記電源制御命令を送信するステップは、
上記終端装置が上記ターゲット端末の接続情報からターゲット端末を特定し、上記ターゲット端末に接続されているＬＡＮ線を利用して電源制御信号を送信するステップと、
上記ターゲット端末のメインボードが上記電源制御信号によりターゲット端末の電源をターンオン又はターンオフ制御するステップとを含むことを特徴とする請求項１０に記載の遠隔電源管理方法。 
【発明の詳細な説明】
【技術分野】
【０００１】
本発明は、電源管理システム及び方法に関し、より詳しくは、共有機のようにターゲット端末に接続されている終端装置とターゲット端末の接続情報を中継サーバーで格納管理し、遠隔地でクライアントが上記ターゲット端末の電源に対するオン／オフ制御を行う場合、上記中継サーバーが上記終端装置にターゲット端末の接続情報を提供することにより、上記終端装置がターゲット端末に対する電源のオン／オフ制御を行うことができる電源管理システム及び方法に関する。 
【背景技術】
【０００２】
一般に、遠隔でターゲット端末の電源をターンオンするために用いられる方法としてＬＡＮ線を利用したＷＯＬ（Ｗａｋｅ Ｏｎ Ｌａｎ）方式がある。
【０００３】
上記ＷＯＬ方式は、ターゲット端末の電源が切れていたとしてもＬＡＮ線が接続されている場合、遠隔からターゲット端末の電源をターンオンできるウェイクアップ情報（マジックパケット）をＬＡＮを通じてメインカードに装着されているＬＡＮカードに送信し、上記ＬＡＮカードからウェイクアップ情報が受信されると、ターゲット端末のメインボードが、送信されたウェイクアップ情報によりターゲット端末の電源をターンオンさせるように作動する。
【０００４】
しかしながら、従来のＷＯＬ方式は、ターゲット端末のＩＰ情報を直接入力して設定しなければならないので、必ずＩＰ情報が分かっていなければならなく、そのために、設定過程が一般の人には容易なものではないという問題があった。 
【０００５】
また、固定ＩＰである場合には、遠隔で電源管理が可能であるものの、ターゲット端末がプライベートＩＰや流動ＩＰである場合、ターゲット端末のアドレスを特定できないので、遠隔で電源管理が不可能であるという問題があった。
【発明の概要】
【発明が解決しようとする課題】
【０００６】
本発明は、上記のような問題点を解決するためになされたものであり、本発明の目的は、共有機のようにターゲット端末に接続されている終端装置とターゲット端末の接続情報を予め登録することから、ターゲット端末がプライベートＩＰ又は流動ＩＰであっても遠隔での電源管理が可能な遠隔電源管理システムを提供することにある。
【課題を解決するための手段】
【０００７】
上記のような目的を達成するために、本発明に係る遠隔電源管理システムは、ターゲット端末の接続情報と上記ターゲット端末に接続されている終端装置の接続情報を送信する接続情報設定手段と、上記ターゲット端末と終端装置の接続情報を格納管理し、上記ターゲット端末に対するターンオン／ターンオフ命令を送信して遠隔でターゲット端末の電源を制御する電源管理手段とを含むことを特徴とする。
【０００８】
上記接続情報設定手段は、上記ターゲット端末に設けられて自身の接続情報と接続されている終端装置の接続情報を取得して上記終端装置により中継サーバーに送信する設定アプリケーションと、上記設定アプリケーションと通信を行って取得した接続情報を上記中継サーバーに送信する終端装置とを含むことを特徴とする。
【０００９】
そして、上記設定アプリケーションは、上記ターゲット端末と共有機の接続情報を自動で抽出して接続情報を取得することを特徴とする。
【００１０】
なお、上記電源管理手段は、上記接続情報設定手段により設定されたターゲット端末と終端装置の接続情報を終端装置から受信して格納管理するデータベースと、ビューアー端末からターゲット端末の電源管理要請がある場合、上記データベースに格納された接続情報を抽出して当該終端装置に電源制御信号（ターンオン／ターンオフ命令）を送信する電源管理部と、ビューアー端末に設けられて電源管理部に電源制御信号を設定するビューアーアプリケーションとを含むことを特徴とする。
【００１１】
そして、上記データベースは、中継サーバーに含まれ、クライアントの識別情報にマッピングされた共有機の接続情報を格納する第１データベースと、上記終端装置に含まれ、上記クライアントの識別情報にマッピングされたターゲット端末の接続情報を格納する第２データベースとを含むことを特徴とする。
【００１２】
なお、上記電源管理部は、ターゲット端末の接続情報設定手段から受信された接続情報とクライアントの識別情報をマッピングして上記データベースに格納する接続情報登録モジュールと、遠隔地のビューアー端末の接続を許容しターゲット端末に対する電源管理要請時、識別情報によりクライアントの認証を行い、認証成功時、データベースから上記識別情報にマッピングされた終端装置及びターゲット端末の接続情報を抽出し、上記終端装置によりターゲット端末に電源制御信号を送信する遠隔電源管理モジュールとを含むことを特徴とする。
【００１３】
そして、上記接続情報登録モジュールは中継サーバーに含まれ、上記遠隔電源管理モジュールは終端装置に含まれることを特徴とする。
【００１４】
上記ターゲット端末の接続情報は、ＩＰアドレス又はドメイン、ＭＡＣアドレスを含み、上記終端装置の接続情報は、終端装置のＩＰ又はドメインを含むことを特徴とする。
【００１５】
そして上記終端装置は共有機であることを特徴とする。
【００１６】
一方、本発明に係る遠隔電源管理方法は、ターゲット端末と終端装置の接続情報を中継サーバーに登録するステップと、上記の登録されたターゲット端末の電源管理要請時、上記ターゲット端末に電源制御命令を送信するステップと、上記電源制御命令により上記ターゲット端末の電源を制御するステップとを含むことを特徴とする。
【００１７】
なお、上記登録するステップは、ターゲット端末の設定アプリケーションを活性化し、上記設定アプリケーションがターゲット端末の接続情報を抽出し、終端装置の接続情報を取得するステップと、上記の取得したターゲット端末と終端装置の接続情報を中継サーバーに送信し、上記中継サーバーの接続情報設定モジュールがクライアントの識別情報と上記ターゲット端末と終端装置の接続情報をマッピングさせてデータベースに格納するステップとを含むことを特徴とする。 
【００１８】
そして、上記の登録するステップは、ターゲット端末の設定アプリケーションを活性化し、上記設定アプリケーションがターゲット端末の接続情報を抽出し、終端装置の接続情報を取得するステップと、上記の取得した終端装置の接続情報を中継サーバーに送信し、上記中継サーバーの接続情報設定モジュールがクライアントの識別情報と上記終端装置の接続情報をマッピングさせて第１データベースに格納するステップと、上記クライアントの識別情報と上記ターゲット端末の接続情報をマッピングさせて終端装置の第２データベースに格納するステップとを含むことを特徴とする。
【００１９】
なお、上記電源制御命令を送信するステップは、ビューアー端末のビューアーアプリケーションを活性化し、上記ビューアーアプリケーションがターゲット端末の特定及び電源制御命令の選択のためのインターフェースを提供するステップと、上記インターフェースにより入力されたクライアントの識別情報及び電源制御命令を中継サーバーに送信するステップと、上記中継サーバーの遠隔電源管理モジュールが上記識別情報を認証し、上記識別情報にマッピングされたターゲット端末及び終端装置の接続情報をデータベースから抽出してターゲット端末を特定して、上記終端装置によりターゲット端末に上記電源制御命令を送信するステップとを含むことを特徴とする。
【００２０】
そして、上記電源制御命令を送信するステップは、ビューアー端末のビューアーアプリケーションを活性化し、上記ビューアーアプリケーションがターゲット端末の特定及び電源制御命令の選択のためのインターフェースを提供するステップと、上記インターフェースにより入力されたクライアントの識別情報及び電源制御命令を中継サーバーに送信するステップと、上記中継サーバーが上記識別情報を認証し、上記識別情報にマッピングされた終端装置の接続情報を第１データベースから抽出して終端装置に上記識別情報と共に上記電源制御命令を送信するステップと、上記終端装置が上記識別情報にマッピングされたターゲット端末の接続情報を第２データベースから抽出してターゲット端末を特定し、上記ターゲット端末に上記電源制御命令を送信するステップとを含むことを特徴とする。
【００２１】
なお、上記識別情報及び電源制御命令を中継サーバーに送信するステップは、上記ビューアーアプリケーションが上記識別情報を中継サーバーに送信してターゲット端末の電源状態情報を要請するステップと、上記中継サーバーの遠隔電源管理モジュールが上記識別情報に対する認証を行い、上記識別情報にマッピングされたターゲット端末及び終端装置の接続情報をデータベースから抽出するステップと、上記の抽出された終端装置の接続情報に上記ターゲット端末の接続情報を送信して上記ターゲット端末の電源状態を上記終端装置に要請するステップと、上記終端装置が上記ターゲット端末の接続情報でターゲット端末を特定してターゲット端末の電源状態を確認し、確認された電源状態を中継サーバーにより上記ビューアーアプリケーションに送信するステップとを含むことを特徴とする。
【００２２】
そして、上記識別情報及び電源制御命令を中継サーバーに送信するステップは、上記ビューアーアプリケーションが上記識別情報を中継サーバーに送信してターゲット端末の電源状態情報を要請するステップと、上記中継サーバーが上記識別情報に対する認証を行い、上記識別情報にマッピングされた終端装置の接続情報を第１データベースから抽出するステップと、上記抽出された終端装置の接続情報で特定された終端装置に上記識別情報と共に上記ターゲット端末の電源状態を上記終端装置に要請するステップと、上記終端装置が上記識別情報にマッピングされたターゲット端末の接続情報を第２データベースから抽出してターゲット端末を特定してターゲット端末の電源状態を確認し、確認された電源状態を中継サーバーにより上記ビューアーアプリケーションに送信するステップとを含むことを特徴とする。
【００２３】
なお、上記ターゲット端末の電源状態の確認は、上記終端装置が上記ターゲット端末の接続情報にターゲット端末に応答信号を送信し、応答がない場合は電源状態をオフ状態と判断し、応答があった場合は電源状態をオン状態と判断することを特徴とする。
【００２４】
そして、上記電源制御命令を送信するステップは、上記終端装置が上記ターゲット端末の接続情報からターゲット端末を特定し、上記ターゲット端末に接続されているＬＡＮ線を利用して電源制御信号を送信するステップと、上記ターゲット端末のメインボードが上記電源制御信号によりターゲット端末の電源をターンオン又はターンオフ制御するステップとを含むことを特徴とする。 
【発明の効果】
【００２５】
上述のように、本発明に係る遠隔電源管理システム及び方法は、ターゲット端末と終端装置の接続情報を中継サーバーで登録管理することにより、ターゲット端末のＩＰアドレスが私設ＩＰや固定ＩＰである場合でも遠隔での電源制御が可能であるという優れた効果がある。
【００２６】
なお、接続情報とクライアントが設定した識別情報（ＩＤ、パスワード）をマッピングして管理することにより、識別情報のみでターゲット端末の特定が可能であるので、クライアントが遠隔で容易にターゲット端末の電源を制御することができるという優れた効果がある。
【００２７】
なお、接続情報の設定時、設定アプリケーションがターゲット端末と終端装置の接続情報を自動で抽出できるので、設定が非常に容易であるという優れた効果がある。
【図面の簡単な説明】
【００２８】
【図１】本発明の望ましい実施例に係る遠隔電源管理システムを概略的に示すシステムの構成図である。
【図２】本発明の望ましい実施例に係る遠隔電源管理システムの詳細ブロック図である。
【図３】遠隔電源方法を概略的に示す手順図である。
【発明を実施するための形態】
【００２９】
以下、本発明の具体的な実施例について図面を参照して詳しく説明する。
【００３０】
本発明に係る遠隔電源管理システムは、ターゲット端末の接続情報と上記ターゲット端末に接続されている終端装置の接続情報を中継サーバーに送信する接続情報設定手段と、上記ターゲット端末と終端装置の接続情報を格納管理し、上記ターゲット端末に対する電源のターンオン／ターンオフを制御する電源管理手段とを含んで構成することができる。
図１は、本発明の望ましい実施例に係る遠隔電源管理システムを概略的に示すシステムの構成図である。
【００３１】
図１を参照すると、上記接続情報設定手段は、上記ターゲット端末１０に設けられて自身の接続情報と接続されている終端装置の接続情報を取得し、上記終端装置により中継サーバー３０への送信を制御するソフトウェアである設定アプリケーション１１０と、上記取得した接続情報を上記中継サーバーに送信する終端装置２０とを含んで構成することができる。
【００３２】
ここで、ターゲット端末１０は、クライアントが遠隔地のビューアー端末で電源管理の対象として指定した端末を意味し、上記ビューアー端末４０は、上記ターゲット端末を遠隔で制御するために接続する端末を意味する。
【００３３】
上記ターゲット端末１０とビューアー端末４０とは、ＰＣ、ノートパソコンなどのコンピュータ端末はもちろん、インターネット接続が可能な全ての携帯用電子機器を含むことができる。
【００３４】
そして、上記終端装置２０は、インターネット接続のためにターゲット端末１０が接続されている共有機、ハブ、モデムなどの装置を意味する。
【００３５】
上記接続情報は、ターゲット端末１０の場合、割り当てられたＩＰアドレスとＬＡＮカードの固有識別情報であるＭＡＣアドレス情報を含み、終端装置の場合ＩＰ情報を含む。なお、上記接続情報としてＩＰ情報の代わりにドメイン情報が活用できる。
【００３６】
そして、上記接続情報は、クライアントが設定した識別情報とマッピングされて中継サーバー３０に登録される。
【００３７】
ここで、識別情報は、クライアントがターゲット端末を容易に特定できる情報であり、クライアントが指定した固有ＩＤとパスワードを組み合わせた情報を含むことができる。
【００３８】
一方、電源管理手段は、上記接続情報設定手段により設定されたターゲット端末１０と終端装置２０の接続情報を終端装置２０から受信して格納管理するデータベース３２０と、ビューアー端末からターゲット端末の電源管理の要請がある場合、上記データベースに格納された接続情報を抽出して当該終端装置に電源制御信号を送信する電源管理部３１０とを含んで構成することができる。
【００３９】
ここで、上記電源管理部３１０は、終端装置２０から受信されたターゲット端末と終端装置の接続情報をクライアントが設定した識別情報とマッピングして登録を行い、上記データベースに格納する接続情報登録モジュール３１１と、遠隔地のビューアー端末の接続を許容し、ターゲット端末に対する電源制御命令の要請時にクライアントの認証を行い、認証成功した場合、データベースから格納された終端装置及びターゲット端末の接続情報を抽出して、上記終端装置にターゲット端末の接続情報と共に電源制御命令を送信する遠隔電源管理モジュール３１２とを含んで構成することができる。
【００４０】
なお、電源管理手段には、クライアントが上記遠隔電源管理モジュール３１２にターゲット端末の電源ターンオン／ターンオフ命令を送信するために、ビューアー端末に設けられるビューアーアプリケーションをさらに含むことができる。
【００４１】
以下、本発明の望ましい実施例に係る遠隔電源管理方法について説明する。
【００４２】
図２は本発明の第１実施例に係る遠隔電源管理システムの詳細ブロック図であり、図３は図２の遠隔電源方法を概略的に示す手順図である。
【００４３】
ここで、本実施例では、説明の便宜のために、終端装置として共有機が用いられる場合について説明するが、ハブ、モデムなどは限定されず終端装置として構成できることは自明であろう。
【００４４】
図２及び図３を参照すると、先ず、ターゲット端末にソフトウェアプログラムである設定アプリケーションを設け、接続情報を取得する（Ｓ１１０）。
【００４５】
より具体的には、設定アプリケーション１１０が設けられて活性化されると、ターゲット端末が接続されている共有機に対する共有機ＩＰ情報を抽出し、ターゲット端末のＩＰアドレス、ＭＡＣアドレス情報を抽出して接続情報を取得する。上記設定アプリケーション１１０は、共有機ＩＰ情報をクライアントが直接入力する方式で実現することもできるが、設定の便宜のために、共有機に格納されたＩＰ情報を自動で抽出するように構成しても良い。
【００４６】
上記のように、接続情報が取得されると上記設定アプリケーション１１０は中継サーバーに接続し、電源管理部の接続情報設定モジュールと連動されて識別情報の設定のためのインターフェースを提供する。
【００４７】
上記インターフェースによりクライアントの識別情報を設定し、上記の取得した接続情報を中継サーバーに送信する（Ｓ１２０）。
【００４８】
次いで、中継サーバーの接続情報設定モジュールは、下記の表１のように上記接続情報を識別情報にマッピングした接続情報テーブルをデータベースに格納して登録する（Ｓ１３０）。
【００４９】
【表１】
2013526797.tif 000003
【００５０】
これにより、遠隔でクライアントの識別情報（ＩＤ、パスワード）のみを入力すると、ターゲット端末の接続情報を抽出して遠隔でターゲット端末の電源を制御できる状態となる。
【００５１】
若し、後で共有機又はターゲット端末の接続情報、例えば、ＩＰアドレスが変更された場合、変更された情報が上記中継サーバーに送信されて接続情報を更新することが可能である。
【００５２】
次いで、クライアントがターゲット端末の電源管理を行うためのインターフェースを提供するビューアーアプリケーション４１０をビューアー端末４０に設ける。
【００５３】
ここで、上記ビューアーアプリケーション４１０は、中継サーバー３０に接続してクライアントの識別情報の入力によりターゲット端末１０を特定する役割を担当し、中継サーバーの電源管理部３１０が提供するターゲット端末の電源状態（ＯＮ／ＯＦＦ）を表示する役割も提供する。
【００５４】
上記ビューアーアプリケーション４１０は、中継サーバー３０から直接ダウンロードして設けても、また別途の外部サーバーからダウンロードしたり携帯用格納媒体に記録された状態にビューアー端末４０に設けても良い。
【００５５】
上記ビューアーアプリケーション４１０が設けられ、クライアントがターゲット端末の電源制御を望む場合、ビューアーアプリケーションを活性化させ、ビューアーアプリケーションで提供するインターフェースにより識別情報（ＩＤ、パスワード）と電源制御命令を入力して中継サーバー３０に送信する（Ｓ１４０）。
【００５６】
上記中継サーバー３０は、上記ビューアーアプリケーションから識別情報が送信されると、電源管理部の遠隔電源管理モジュール３１２は、上記識別情報がデータベース３２０に格納された識別情報と一致するか否かを確認してクライアントを認証し、一致する場合は、上記識別情報にマッピングされる共有機及びターゲット端末の接続情報を抽出する（Ｓ１５０）。
【００５７】
ここで、上記識別情報と電源制御命令は同時に中継サーバー３０に送信されるが、インターフェースの構成により識別情報の認証が成功した場合に電源制御命令が送信されるように構成することもできる。
【００５８】
次いで、上記接続情報に含まれた共有機２０のＩＰアドレスにターゲット端末の接続情報（ＩＰアドレス、ＭＡＣアドレスを含む）と共に電源制御命令を送信する（Ｓ１６０）。
【００５９】
そして、上記共有機２０は、上記ターゲット端末の接続情報からターゲット端末１０を特定し、上記ターゲット端末１０のＩＰアドレスに電源制御命令を送信する（Ｓ１７０）。
【００６０】
次いで、上記ターゲット端末１０は、上記電源制御命令によりターゲット端末の電源を制御する（Ｓ１８０）。
【００６１】
より具体的には、上記電源制御命令がターゲット端末１０の電源をオンするためのターン−オン命令である場合、ターゲット端末１０は電源がオフ状態であるが、上記共有機と接続されているため、ＬＡＮ線を通じてＬＡＮカードにターン−オン命令（マジックパケット）を送信することができる。
【００６２】
これにより、上記共有機２０は、上記ターン−オン命令をターゲット端末１０のＬＡＮカードに送信し、ＬＡＮカードと接続されたメインボードが上記ターン−オン命令によりターゲット端末の電源をターンオンすることになる。したがって、遠隔でターゲット端末の電源をオンすることができる。 
【００６３】
若し、上記電源制御命令がターゲット端末の電源を遮断しようとするターン−オフ命令である場合、上記ターン−オン命令と同じ過程によってターゲット端末にターン−オフ命令を送信して電源を遠隔で遮断することができる。
【００６４】
ここで、ターン−オン命令又はターン−オフ命令は、ターゲット端末の電源をオンしたり遮断するためのパケット情報（マジックパケット）を意味する。
【００６５】
一方、クライアントがビューアーアプリケーションによりターゲット端末の現在の電源状態表示メニューを選択した場合、識別情報を入力して中継サーバーに送信し、上記中継サーバーの電源管理モジュールが識別情報認証を行って認証に成功した場合は、識別情報にマッピングされたターゲット端末と共有機の接続情報を抽出する。
【００６６】
次いで、上記電源管理モジュールは、共有機の接続情報にターゲット端末の接続情報と共にターゲット端末の電源状態確認命令を送信する。 
【００６７】
そして、上記共有機は、上記ターゲット端末の接続情報を受信し、上記接続情報中ＩＰアドレスとＭＡＣアドレスを抽出して自身と接続されているターゲット端末を特定し、ＬＡＮ線を用いてターゲット端末の電源状態を確認する。
【００６８】
ここで、若し、上記ターゲット端末から応答がない場合はターゲット端末の電源がオフの状態を意味し、ターゲット端末から応答があった場合はターゲット端末の電源がオンの状態を意味するので、ターゲット端末の電源状態を確認することが可能である。
【００６９】
上記ターゲット端末の電源状態を確認すると、共有機は、電源状態情報を中継サーバーに送信し、上記中継サーバーの遠隔電源管理モジュールは、上記電源状態情報をビューアー端末のビューアーアプリケーションに提供し、上記ビューアーアプリケーションがターゲット端末の電源状態をビューアー端末に表示するようになる。
【００７０】
図４は、本発明の第２実施例に係る遠隔電源管理システムの詳細ブロック図であり、図５は、図４による遠隔電源方法を概略的に示す手順図である。
【００７１】
本発明に係る第２実施例は、第１実施例で中継サーバーに含まれる電源管理部の遠隔電源管理モジュールが共有機に備えられ、データベースが第１データベースと第２データベースとに分離構成され、上記第２データベースが共有機に備えられることを除いては第１実施例と同一であるので、同一部分を除いた異なる部分についてのみ説明する。 
【００７２】
図４及び図５を参照すると、先ず、ターゲット端末にソフトウェアプログラムである設定アプリケーションを設け、ターゲット端末の接続情報を取得する（Ｓ２１０）。
【００７３】
より具体的には、設定アプリケーション１１０が設けられて活性化されると、ターゲット端末が接続されている共有機に対する共有機ＩＰ情報を抽出し、ターゲット端末のＩＰアドレス、ＭＡＣアドレス情報を抽出して接続情報を取得する。
【００７４】
上記のように、接続情報が取得されると、上記設定アプリケーション１１０は、上記共有機を経て中継サーバー３０に接続し、中継サーバーの接続情報設定モジュール３１１と連動して識別情報設定のためのインターフェースを提供する。
【００７５】
上記インターフェースによりクライアントの識別情報を設定し、上記取得した接続情報中共有機の接続情報を中継サーバー３０に送信する（Ｓ２２０）。
【００７６】
次いで、中継サーバーの接続情報設定モジュールは、下記の表２のように、上記共有機の接続情報を識別情報にマッピングした接続情報テーブルを第１データベース３２１に格納して登録する（Ｓ２３０）。
【００７７】
【表２】
2013526797.tif 000004
【００７８】
そして、共有機２０は、中継サーバーから上記識別情報（パスワード除外）が送信され、下記の表３のように上記識別情報にターゲット端末の接続情報をマッピングして第２データベース２２０に格納する（Ｓ２４０）。
【００７９】
【表３】
2013526797.tif 000005
【００８０】
これにより、遠隔でクライアントが識別情報（ＩＤ、パスワード）のみを入力すると、ターゲット端末の接続情報を抽出して遠隔でターゲット端末の電源を制御できる状態となる。
【００８１】
若し、後で共有機又はターゲット端末の接続情報、例えば、ＩＰアドレスが変更された場合は、変更された情報が上記中継サーバー又は共有機に送信されて接続情報を更新することが可能である。
【００８２】
次いで、クライアントがターゲット端末の電源管理を行うためのインターフェースを提供するビューアーアプリケーション４１０をビューアー端末４０に設ける。
【００８３】
上記ビューアーアプリケーション４１０が設けられ、クライアントがターゲット端末の電源制御を望む場合は、ビューアーアプリケーションを活性化させ、ビューアーアプリケーションで提供するインターフェースにより識別情報（ＩＤ、パスワード）と電源制御命令を入力して中継サーバー３０に送信する（Ｓ２５０）。
【００８４】
上記中継サーバー３０は、上記ビューアーアプリケーションから識別情報が送信されると、上記識別情報がデータベース３２０に格納された識別情報と一致するか否かを確認してクライアントを認証し、一致する場合は、上記識別情報にマッピングされる共有機の接続情報を抽出する（Ｓ２６０）。
【００８５】
ここで、上記識別情報と電源制御命令は同時に中継サーバー３０に送信されるが、インターフェースの構成により識別情報認証が成功した場合に電源制御命令が送信されるように構成することもできる。
【００８６】
次いで、上記共有機の接続情報に含まれている共有機２０のＩＰアドレスにクライアントの識別情報と共に電源制御命令を送信する（Ｓ２７０）。
【００８７】
上記共有機２０の遠隔電源管理モジュール２１０は、上記識別情報にマッピングされるターゲット端末の接続情報を第２データベースから抽出してターゲット端末１０を特定し（Ｓ２８０）、上記ターゲット端末１０のＩＰアドレスに電源制御命令を送信する（Ｓ２９０）。
【００８８】
次いで、上記ターゲット端末１０は、上記電源制御命令によりターゲット端末の電源を制御する（Ｓ３００）。
【００８９】
以上で説明した本発明の詳細な説明では、本発明の望ましい実施例を参照して説明したが、本発明の保護範囲は上記実施例に限定されるのではなく、当該技術分野における通常の知識を有する者であれば、本発明の思想及び技術領域から逸脱しない範囲内で本発明を多様に修正及び変更させることができることは勿論である。
【図１】
2013526797.tif 000006
【図２】
2013526797.tif 000007
【図３】
2013526797.tif 000008
【図４】
2013526797.tif 000009
【図５】
2013526797.tif 000010
【国際調査報告】
2013526797.tif 000011
2013526797.tif 000012
2013526797.tif 000013
2013526797.tif 000014